(57)【要約】      （修正有）【課題】携帯情報端末を用いて検索した情報を容易に印刷することが可能で、かつ、検索した情報は前もって印刷システム内の記憶装置にダウンロード済みとする。【解決手段】ユーザは携帯情報端末２を用いて必要な情報を検索する。必要な情報が見つかった場合、その情報がプロバイダ１が管理しているホストコンピュータにある情報の場合は、インターネット６を介して携帯情報端末２へ印刷データをダウンロードする。一方、必要な情報が、印刷システムにおけるコンテンツ記憶部である場合は、ユーザは印刷に必要な識別情報をダウンロードする。次に、ユーザは印刷システムが設置されたコンビニエンスストアに行き、印刷システムと携帯情報端末２を接続し、印刷開始命令を実行する。印刷開始命令を受けた印刷データ処理装置は、携帯情報端末２から印刷データを受信する。【選択図】図１
2012027922.tif 000002
【特許請求の範囲】
【請求項１】
インターネットに接続可能な携帯情報端末と接続しインターネット上からコンテンツを提供する情報提供装置と、前記携帯情報端末と通信可能に接続し印刷に係る機能を有する印刷データ処理装置からなる印刷システムであって、
前記情報提供装置は、前記携帯情報端末がインターネットを利用して検索したコンテンツのタイプに応じて、タイプ１の前記コンテンツを印刷するための印刷データまたはタイプ２の前記コンテンツを識別する識別情報のいずれかを前記携帯情報端末に送信する印刷データ送信手段と、タイプ２の前記コンテンツを記憶手段に保存させるコンテンツ保存手段とを備え、
前記印刷データ処理装置は、前記印刷データ送信手段により送信され前記携帯情報端末が保存した前記印刷データまたは識別情報を、前記携帯情報端末から受信する印刷データ受信手段と、
前記携帯情報端末から受信したデータが前記識別情報であるかを判別する判別手段と、
前記判別手段により前記識別情報であると判別されたときに、前記識別情報に基づいて前記記憶手段からタイプ２の前記コンテンツを選択する選択手段と、
前記印刷データに基づいて印刷を実行する印刷実行手段と、
を備え、
前記印刷実行手段は、前記判別手段により前記識別情報と判別されたとき、前記選択手段により選択されたタイプ２の前記コンテンツを用いて印刷を実行することを特徴とする印刷システム。
【請求項２】
前記コンテンツに対応した印刷処理プログラムを格納した前記記憶手段を有し、前記印刷データ処理装置が備える前記印刷実行手段は、前記記憶手段に格納されている前記印刷処理プログラムを利用して、前記コンテンツに応じた印刷処理プログラムによる印刷を実行することを特徴とする請求項１に記載の印刷システム。
【請求項３】
インターネットに接続可能な携帯情報端末と通信可能に接続し、印刷に係る機能を有する印刷データ処理装置であって、
利用者が前記携帯情報端末を利用して検索したインターネット上のコンテンツに対する印刷の要求を受信する印刷要求受信手段と、
前記コンテンツを印刷するために前記携帯情報端末が保存した、タイプ１の前記コンテンツを印刷するための印刷データ、またはタイプ２の前記コンテンツを識別する識別情報、のいずれかを前記携帯情報端末から受信する印刷データ受信手段と、
前記携帯情報端末が保存し、前記印刷データ受信手段によって前記携帯情報端末から受信したデータが前記識別情報であるかを判別する判別手段と、
前記判別手段により前記識別情報であると判別されたときに、記憶手段に記憶されている前記コンテンツの中から前記識別情報に基づいて印刷実行手段により印刷を実行するタイプ２の前記コンテンツを選択する選択手段と、
前記印刷データに基づいて印刷を実行する印刷実行手段と、
を備え、
前記印刷実行手段は、前記判別手段により前記識別情報と判別されたとき、前記選択手段により選択されたタイプ２の前記コンテンツを用いて印刷を実行することを特徴とする印刷データ処理装置。
【請求項４】
前記コンテンツに対応した印刷処理プログラムを格納した記憶手段を有し、前記印刷実行手段は、前記記憶手段に格納されている前記印刷処理プログラムを利用して、前記コンテンツに応じた印刷処理プログラムによる印刷を実行することを特徴とする請求項３に記載の印刷データ処理装置。
【請求項５】
インターネットに接続可能な携帯情報端末と接続しインターネット上からコンテンツを提供する情報提供装置と、前記携帯情報端末と通信可能に接続し印刷に係る機能を有する印刷データ処理装置からなる印刷システムにおける印刷方法であって、
前記情報提供装置で実行する、前記携帯情報端末がインターネットを利用して検索したコンテンツのタイプに応じて、タイプ１の前記コンテンツを印刷するための印刷データまたはタイプ２の前記コンテンツを識別する識別情報のいずれかを前記携帯情報端末に送信する印刷データ送信工程と、タイプ２の前記コンテンツを記憶手段に保存させるコンテンツ保存工程と、
前記印刷データ処理装置で実行する、前記印刷データ送信工程で送信され前記携帯情報端末が保存した前記印刷データまたは識別情報を、前記携帯情報端末から受信する印刷データ受信工程と、
前記携帯情報端末から受信したデータが前記識別情報であるかを判別する判別工程と、
前記判別工程で前記識別情報であると判別されたときに、前記識別情報に基づいて前記記憶手段からタイプ２の前記コンテンツを選択する選択工程と、
前記印刷データに基づいて印刷を実行する印刷実行工程と、
を有し、
前記印刷実行工程では、前記判別工程で前記識別情報と判別されたとき、前記選択工程で選択されたタイプ２の前記コンテンツを用いて印刷を実行することを特徴とする印刷システムにおける印刷方法。
【発明の詳細な説明】
【技術分野】
【０００１】
本発明は、印刷システム、印刷データ処理装置、印刷システムにおける印刷方法、より詳細には、携帯情報端末からネットワーク上の情報をネットワークに接続された印刷実行手段に出力する印刷システム、印刷データ処理装置、印刷システムにおける印刷方法に関する。
【背景技術】
【０００２】
特許文献１（音楽情報販売処理装置、音楽情報販売処理システム、音楽情報販売処理方法、及び機会読み取り可能な記録媒体）には、コンビニエンスストアの店舗などに設置可能で、且つ、消費者の希望にあわせて楽曲を提供することが可能であり、店舗側の負担を増大させることなく、消費者の利便性を大きく高めることが可能な音楽販売処理装置が提案されている。この装置は、タッチパネルやマイクを通して指示された音楽データを装置内のＨＤドライブから抽出し、メモリカードドライブまたはディスクメディアドライブに格納された記録媒体に、抽出した音楽データを書き込ませることによって音楽データを販売するものである。
【発明の概要】
【発明が解決しようとする課題】
【０００３】
近年、ｉモードなどのインターネットに接続可能な携帯電話の普及により、これを利用したサービスは急速に普及しつつある。これらのサービスとは、例えば、銀行口座の利用、駅の乗り換え案内、携帯電話の着信音ダウンロードサービスなどである。また、携帯電話がインターネットに接続できることにより、携帯電話も通常のパーソナルコンピュータと同様にインターネット上の情報をダウンロードすることが可能となり、今後この種のサービスの拡大が予想されている。
【０００４】
しかしながら、これらのサービスにはいくつかの課題が残されている。第一の課題として、ダウンロードした情報を印刷する手段がないということである。このため、大量のテキスト情報も全て携帯電話の画面を通してしか見られなかったり、例えば、ダウンロードするコンテンツが、地図、写真、楽譜など、テキストデータ以外の場合は、実質的にはこのサービスは使用できないという問題がある。
【０００５】
第二の課題として、ダウンロードするデータの情報量が大きい場合は、ダウンロード中に通信が途絶えるなどの問題が発生しており、データのダウンロードによって課金処理を施す場合は、正常にダウンロードが終了しなくても課金がなされてしまう問題も発生していた。
【０００６】
本発明は、上記二つの課題を解決すべく、以下のシステムを実現する。第一の課題を解決すべく、コンビニエンスストアなどに専用の印刷システムを設置し、その印刷システムを介してしてダウンロードデータを容易に印刷できるようにする。第二の課題を解決すべく、携帯電話からの印刷を目的とした専用の印刷システムを使用することにより、ダウンロードするデータを必要最低限の情報にすることと、サイズの大きなデータは、あらかじめ印刷システム内の記憶装置に記憶させておくことにより、ダウンロードに長い時間を要するという事態が生ずる可能性を軽減する。
【０００７】
ところで、コンビニエンスストアに設置された専用の装置に記憶されたデータを販売するシステムとして、前述の特許文献１記載のものが提案されているが、これは、音楽ＣＤの販売において専用の音楽販売装置を設置し、ＣＤの内容は装置のハードディスクの中に保存しておき、消費者は必要なＣＤデータを選択し、希望のメディアにその場で選択したＣＤのデータを書き込むという販売形態をとることにより店舗スペースの問題を解決するものである。本発明におけるシステムは、あらかじめインターネットからダウンロードされた印刷システムにおける記憶装置内のデータを種々の商品として見れば、上記音楽販売装置と同じ販売形態となる。
【０００８】
ここで、前記特許文献１に記載のような装置を設置した販売形態の場合、消費者は、購入したい商品を音楽販売装置を介して検索し、選択するため、購入までに手間を要し、また、音楽販売装置にて販売している商品のリストを容易に得ることができないという問題がある。これに対し、本発明におけるシステムは、コンビニエンスストアに設置された専用記憶装置内の商品情報は、携帯電話を利用して得ることができ、また、携帯電話を利用してあらかじめ購入すべき商品を決めておく、という形態をとることにより、上記問題も解決することができる。
【課題を解決するための手段】
【０００９】
請求項１の発明は、インターネットに接続可能な携帯情報端末と接続しインターネット上からコンテンツを提供する情報提供装置と、前記携帯情報端末と通信可能に接続し印刷に係る機能を有する印刷データ処理装置からなる印刷システムであって、前記情報提供装置は、前記携帯情報端末がインターネットを利用して検索したコンテンツのタイプに応じて、タイプ１の前記コンテンツを印刷するための印刷データまたはタイプ２の前記コンテンツを識別する識別情報のいずれかを前記携帯情報端末に送信する印刷データ送信手段と、タイプ２の前記コンテンツを記憶手段に保存させるコンテンツ保存手段とを備え、前記印刷データ処理装置は、前記印刷データ送信手段により送信され前記携帯情報端末が保存した前記印刷データまたは識別情報を、前記携帯情報端末から受信する印刷データ受信手段と、前記携帯情報端末から受信したデータが前記識別情報であるかを判別する判別手段と、前記判別手段により前記識別情報であると判別されたときに、前記識別情報に基づいて前記記憶手段からタイプ２の前記コンテンツを選択する選択手段と、前記印刷データに基づいて印刷を実行する印刷実行手段と、を備え、前記印刷実行手段は、前記判別手段により前記識別情報と判別されたとき、前記選択手段により選択されたタイプ２の前記コンテンツを用いて印刷を実行することを特徴とする。
請求項２の発明は請求項１に記載の印刷システムであって、前記コンテンツに対応した印刷処理プログラムを格納した前記記憶手段を有し、前記印刷データ処理装置が備える前記印刷実行手段は、前記記憶手段に格納されている前記印刷処理プログラムを利用して、前記コンテンツに応じた印刷処理プログラムによる印刷を実行することを特徴とする。
請求項３の発明はインターネットに接続可能な携帯情報端末と通信可能に接続し、印刷に係る機能を有する印刷データ処理装置であって、利用者が前記携帯情報端末を利用して検索したインターネット上のコンテンツに対する印刷の要求を受信する印刷要求受信手段と、前記コンテンツを印刷するために前記携帯情報端末が保存した、タイプ１の前記コンテンツを印刷するための印刷データ、またはタイプ２の前記コンテンツを識別する識別情報、のいずれかを前記携帯情報端末から受信する印刷データ受信手段と、前記携帯情報端末が保存し、前記印刷データ受信手段によって前記携帯情報端末から受信したデータが前記識別情報であるかを判別する判別手段と、前記判別手段により前記識別情報であると判別されたときに、記憶手段に記憶されている前記コンテンツの中から前記識別情報に基づいて印刷実行手段により印刷を実行するタイプ２の前記コンテンツを選択する選択手段と、前記印刷データに基づいて印刷を実行する印刷実行手段と、を備え、前記印刷実行手段は、前記判別手段により前記識別情報と判別されたとき、前記選択手段により選択されたタイプ２の前記コンテンツを用いて印刷を実行することを特徴とする。
請求項４の発明は請求項３に記載の印刷データ処理装置であって、前記コンテンツに対応した印刷処理プログラムを格納した記憶手段を有し、前記印刷実行手段は、前記記憶手段に格納されている前記印刷処理プログラムを利用して、前記コンテンツに応じた印刷処理プログラムによる印刷を実行することを特徴とする。
請求項５の発明は、インターネットに接続可能な携帯情報端末と接続しインターネット上からコンテンツを提供する情報提供装置と、前記携帯情報端末と通信可能に接続し印刷に係る機能を有する印刷データ処理装置からなる印刷システムにおける印刷方法であって、前記情報提供装置で実行する、前記携帯情報端末がインターネットを利用して検索したコンテンツのタイプに応じて、タイプ１の前記コンテンツを印刷するための印刷データまたはタイプ２の前記コンテンツを識別する識別情報のいずれかを前記携帯情報端末に送信する印刷データ送信工程と、タイプ２の前記コンテンツを記憶手段に保存させるコンテンツ保存工程と、前記印刷データ処理装置で実行する、前記印刷データ送信工程で送信され前記携帯情報端末が保存した前記印刷データまたは識別情報を、前記携帯情報端末から受信する印刷データ受信工程と、前記携帯情報端末から受信したデータが前記識別情報であるかを判別する判別工程と、前記判別工程で前記識別情報であると判別されたときに、前記識別情報に基づいて前記記憶手段からタイプ２の前記コンテンツを選択する選択工程と、前記印刷データに基づいて印刷を実行する印刷実行工程と、を有し、前記印刷実行工程では、前記判別工程で前記識別情報と判別されたとき、前記選択工程で選択されたタイプ２の前記コンテンツを用いて印刷を実行することを特徴とする。
【発明の効果】
【００１０】
本発明によれば、携帯情報端末を用いて検索した情報を容易に印刷することが可能で、かつ、検索した情報は前もって印刷システム内の記憶装置にダウンロード済みなので、ユーザが印刷するたびにダウンロードする必要がない。
【図面の簡単な説明】
【００１１】
【図１】本発明による印刷サービスシステムの全体構成を示す図である。
【図２】図１に示した印刷データ処理装置の一構成例を示す図である。
【図３】本発明による印刷処理の流れを説明するためのフローチャートである。
【図４】タイプ１のコンテンツ印刷用にダウンロードするデータの例を示す図である。
【図５】タイプ２のコンテンツ印刷用にダウンロードするデータの例を示す図である。
【図６】コンテンツに係わる要素の対応を示す図である。
【図７】プロバイダ及び印刷システム内のハードディスクの中身を示す概念図である。
【発明を実施するための形態】
【００１２】
図１は、本発明による印刷サービスシステムの全体構成を示す図で、図中、１は各種サービスを提供するプロバイダ、２はｉモードなどのようなインターネットに接続可能な携帯情報端末、３は印刷データ処理装置、４は印刷データ処理装置３からのデータを印刷する印刷装置で、この印刷データ処理装置３と印刷装置４で一つの印刷システムを構成している。５はインターネットに接続された携帯情報端末用の基地局、６はインターネットである。
【００１３】
図２は、図１に示した印刷データ処理装置３の一構成例を示す図で、図中、３ａは印刷システムにおける処理全般を行うＣＰＵ、３ｂは各プロバイダからのデータの印刷処理手順の記憶部、３ｃは各プロバイダからのデータの記憶部、３ｄはインターネット６と接続するためのインターフェース部、３ｅは印刷装置４と接続するためのインターフェース部、３ｆは携帯情報端末２と接続するためのインターフェース部、３ｇは印刷システムをユーザが操作するためのユーザインターフェース部である。
【００１４】
以下、本発明を使用した場合の実施方法について説明する。はじめに、図３のフローチャートを参照して、ユーザが必要な情報をインターネット上で検索し、検索した情報を印刷し終えるまでの印刷処理の流れを説明する。
【００１５】
［ユーザの印刷情報の検索］
ユーザは、まず、携帯電話を用いて必要な情報を検索する（Ｓ１）。この情報とは本発明における印刷システムをサポートしていなければならない（Ｓ２）。
【００１６】
［コンテンツの印刷のためにダウンロードするデータ］
このようなコンテンツとは、例えば、特定の曲の楽器毎の楽譜であったり、地域を限定した詳細な地図であったりする。また、通常のテキスト文章であっても良い。また、印刷用データが実際に存在する場所は、インターネット上のプロバイダが管理しているホストコンピュータ１の場合と、印刷システムにおけるデータ記憶部３ｃである場合の二通りある。この違いは以下である。
【００１７】
印刷データ量が小さくダウンロードするのにあまり時間を費やさない場合や、最新の音楽の楽譜のように常に追加されたり更新されたりするコンテンツの場合はインターネット上のプロバイダが管理しているホストコンピュータ１から印刷データを供給する。この場合、ユーザは携帯情報端末を用いてプロバイダから印刷データをダウンロードし、それを印刷システムに送信して印刷することとなる。以後、このようなコンテンツを「タイプ１のコンテンツ」と呼ぶ。タイプ１のコンテンツ印刷のためにダウンロードするデータの概略図を図４に示す。
【００１８】
これに対して、地図データなどのように、印刷データ量が比較的大きく、また追加や更新の頻度の少ないコンテンツの場合は、印刷システム内の記憶装置３ｃに保存しておく。
この場合、ユーザは携帯情報端末を用いて印刷システム内の記憶装置３ｃに保存されているコンテンツの所望の識別情報をダウンロードし、印刷時にはこの識別情報を印刷システムへ送信し、印刷システムはこの識別情報をもとに記憶装置３ｃから該当するデータを選んで印刷することとなる。以後、このようなコンテンツを「タイプ２のコンテンツ」と呼ぶ。タイプ２のコンテンツ印刷のためにダウンロードするデータの概略図を図５に示す。
【００１９】
［コンテンツの印刷のためのプログラム］
コンテンツの印刷には、各々のコンテンツを印刷するためのプログラムが必要でありこれらプログラムは、各々のコンテンツ提供プロバイダによりインターネットを介して印刷システムに供給され、印刷システムにおける記憶部３ｂに格納される。例えば、コンテンツが楽譜の場合（タイプ１のコンテンツ）は、ユーザがダウンロードするデータは曲毎に固有の情報（音階、音符の長さ、テンポなど）のみであり、楽譜印刷に常に必要な情報（楽譜における記号のビットマップデータ等）は楽譜印刷用プログラムが持っている。実際に印刷するときは楽譜印刷用プログラムがダウンロードしたデータをもとに、楽譜に整形し印刷することになる。これによりユーザがダウンロードすべきデータ量の軽減をはかる。
【００２０】
また、コンテンツがテキストの場合は、各プロバイダで共通のテキスト印刷プログラムを用意しておく。ある特定のコンテンツに対して、コンテンツの提供プロバイダ、コンテンツの印刷データが格納されている場所、及びコンテンツ印刷用プログラムの対応例を図６に示す。また、プロバイダ及び印刷システムの記憶装置内部の概念図を、図６の例をもとに図７に示す。
【００２１】
［印刷データダウンロード］
ユーザはインターネット上での検索の結果、必要な情報が見つかった場合、その情報がプロバイダが管理しているホストコンピュータにある情報の場合は、インターネットを介して携帯電話へ印刷データをダウンロードする。一方、必要な情報が、印刷システムにおけるコンテンツ記憶部３ｃである場合は、ユーザは印刷に必要な識別情報をダウンロードする。
【００２２】
［データ印刷］
次に、ユーザは印刷システムが設置されたコンビニエンスストアに行き、印刷システムと携帯情報端末を接続し、印刷開始命令を実行する（Ｓ３）。印刷開始命令を受けた印刷データ処理装置は、携帯情報端末から印刷データを受信する（Ｓ４）。受信が終わると、印刷システム内の処理部３ａは受信した印刷データがコンテンツタイプ１のものか、あるいはコンテンツタイプ２のものかを識別し（Ｓ５）、タイプ１の場合は、記憶装置３ｂに格納されている、そのコンテンツ印刷用の印刷処理プログラムを利用してコンテンツを印刷する（Ｓ６）。タイプ２の場合は、コンテンツ識別情報から記憶装置３ｃ内にあるコンテンツを選択し、タイプ１と同様に記憶装置３ｂに格納されている、該当するコンテンツ印刷用の印刷処理プログラムを利用してコンテンツを印刷する（Ｓ７）。
【００２３】
［課金処理］
全ての印刷が正常に終了したら（Ｓ８−ＹＥＳ）、コンテンツサービス料を課金する（Ｓ９）。全ての印刷が正常に終了しない場合は（Ｓ８−ＮＯ）、課金処理はせず、印刷処理を中止し（Ｓ１０）、ユーザインターフェース３ｇを通してステータスをユーザに報告する。
【００２４】
［タイプ１の具体的使用例］
次に、具体的使用例として、コンテンツを最新音楽の楽譜印刷サービスとして、本発明の使用例を以下に説明する。まず、ユーザは最近発売されたばかりのバンドＡの曲Ｂのギターパートの楽譜を必要とし、携帯情報端末を用いて楽譜印刷サービスを検索し、プロバイダＢが提供している最新音楽の楽譜印刷サービスを見つける。さらに、バンドＡの曲Ｂを検索する。これら情報は新曲が発売されると同時に常にプロバイダが追加更新しているので、希望の楽譜は見つかる。そこで、ユーザはその楽譜の印刷サービスを受けるという選択をすると、携帯情報端末にバンドＡの曲Ｂのギターパートの楽譜印刷データがダウンロードされる。
【００２５】
次に、ユーザは印刷システムを導入している最寄りのコンビニエンスストアに行き、携帯情報端末を印刷システムに接続し印刷システムのユーザインターフェースから印刷開始を命令する。印刷システムでは、携帯情報端末から得られた印刷データをもとにの希望の楽譜を印刷する。正常に印刷が終了したら、ユーザは印刷システムで指定された料金をコンビニエンスストアに支払う。
【００２６】
［タイプ２の具体的使用例］
次に、具体的使用例として、コンテンツを特定地域の詳細な地図印刷サービスとして、本発明の使用例を以下に説明する。このようなコンテンツサービスは、例えばユーザが見知らぬ土地へ外出し、道を迷ったり、ある特定の場所がわからない場合に非常に有効である。まず、ユーザは見知らぬ土地（Ａ県Ｂ市Ｃ町）で迷い、携帯情報端末を用いて地図の印刷サービスを検索し、プロバイダＡが提供している特定地域の地図印刷サービスを見つける。さらに、現在の自分の町名を検索し見つける。そこで、ユーザはその地図の印刷サービスを受けるという選択をすると、携帯情報端末にＡ県Ｂ市Ｃ町の地図印刷データ識別情報がダウンロードされる。
【００２７】
次に、ユーザは印刷システムを導入している最寄りのコンビニエンスストアに寄り、携帯情報端末を印刷システムに接続し印刷システムのユーザインターフェースから印刷開始を命令する。印刷システムでは、携帯情報端末から得られた識別情報をもとにＡ県Ｂ市Ｃ町の詳細地図の印刷データを抽出し印刷する。正常に印刷が終了したら、ユーザは印刷システムで指定された料金をコンビニエンスストアに支払う。
【００２８】
本発明の実施形態によれば、（１）携帯情報端末を用いて検索した情報を容易に印刷することが可能で、かつ、検索した情報は前もって印刷システム内の記憶装置にダウンロード済みなので、ユーザが印刷するたびにダウンロードする必要がない。
（２）携帯情報端末を用いて検索した情報を容易に印刷することが可能である。
（３）印刷サービスの課金処理を印刷処理が正常に終了した後で開始することにより、公正な課金処理が実現可能である。
（４）ユーザがダウンロードするデータとして、印刷システム内の記憶装置中のコンテンツを識別するための情報とすることにより、ダウンロードするデータサイズを軽減することができ、結果としてダウンロード中の電波障害によるデータ転送の中断を避け、さらにユーザの通話料の負担を軽減することができる。
（５）ユーザがダウンロードするデータを、印刷システムが使用する印刷プログラムが処理できるデータとすることにより、印刷に必要なデータにおける固定部分と変動部分を切り分けることができ、ダウンロードするデータサイズを軽減することができ、結果として、ダウンロード中の電波障害によるデータ転送の中断を避け、さらにユーザの通話料の負担を軽減することができる。
（６）印刷システムが使用する印刷プログラムを、プロバイダが供給するコンテンツ毎に用意することにより、印刷に必要なデータにおける固定部分と変動部分を切り分けることができ、ダウンロードするデータサイズを軽減することができ、かつ、印刷プログラムはインターネットプロバイダからインターネットを介して供給される形をとることにより、印刷システムのメンテナンスが容易であり、かつ常に最新の印刷プログラムを使用することができる。
（７）携帯電話を用いてインターネットから取得した地図情報を容易に印刷することが可能となる。
（８）携帯電話を用いてインターネットから取得した音楽の楽譜情報を容易に印刷することが可能となる。
【符号の説明】
【００２９】
１…プロバイダ、２…携帯情報端末、３…印刷データ処理装置、３ａ…ＣＰＵ、３ｂ…印刷処理手順記憶部、３ｃ…データ記憶部、３ｄ，３ｅ，３ｆ…インターフェース部、３ｇ…ユーザインターフェース部、４…印刷装置、５…携帯情報端末基地局、６…インターネット。
【先行技術文献】
【特許文献】
【００３０】
【特許文献１】特開２０００−７６５４２号公報
【図１】
2012027922.tif 000003
【図２】
2012027922.tif 000004
【図３】
2012027922.tif 000005
【図４】
2012027922.tif 000006
【図５】
2012027922.tif 000007
【図６】
2012027922.tif 000008
【図７】
2012027922.tif 000009
【手続補正書】
【提出日】平成23年9月7日(2011.9.7)
【手続補正２】
【補正対象書類名】明細書
【補正対象項目名】０００１
【補正方法】変更
【補正の内容】
【０００１】
本発明は、データ処理装置、携帯情報端末、プログラム、より詳細には、携帯情報端末からネットワーク上の情報をネットワークに接続された印刷実行手段に出力するデータ処理装置、携帯情報端末、プログラムに関する。
【手続補正３】
【補正対象書類名】明細書
【補正対象項目名】０００６
【補正方法】変更
【補正の内容】
【０００６】
本発明は、上記二つの課題を解決すべくなされたものである。第一の課題を解決すべく、コンビニエンスストアなどに専用の印刷システムを設置し、その印刷システムを介してしてダウンロードデータを容易に印刷できるようにする。第二の課題を解決すべく、携帯電話からの印刷を目的とした専用の印刷システムを使用することにより、ダウンロードするデータを必要最低限の情報にすることと、サイズの大きなデータは、あらかじめ印刷システム内の記憶装置に記憶させておくことにより、ダウンロードに長い時間を要するという事態が生ずる可能性を軽減する。
【手続補正４】
【補正対象書類名】明細書
【補正対象項目名】０００７
【補正方法】変更
【補正の内容】
【０００７】
ところで、コンビニエンスストアに設置された専用の装置に記憶されたデータを販売するシステムとして、前述の特許文献１記載のものが提案されているが、これは、音楽ＣＤの販売において専用の音楽販売装置を設置し、ＣＤの内容は装置のハードディスクの中に保存しておき、消費者は必要なＣＤデータを選択し、希望のメディアにその場で選択したＣＤのデータを書き込むという販売形態をとることにより店舗スペースの問題を解決するものである。本発明は、あらかじめインターネットからダウンロードされた印刷システムにおける記憶装置内のデータを種々の商品として見れば、上記音楽販売装置と同じ販売形態となる。
【手続補正５】
【補正対象書類名】明細書
【補正対象項目名】０００８
【補正方法】変更
【補正の内容】
【０００８】
ここで、前記特許文献１に記載のような装置を設置した販売形態の場合、消費者は、購入したい商品を音楽販売装置を介して検索し、選択するため、購入までに手間を要し、また、音楽販売装置にて販売している商品のリストを容易に得ることができないという問題がある。これに対し、本発明は、コンビニエンスストアに設置された専用記憶装置内の商品情報は、携帯電話を利用して得ることができ、また、携帯電話を利用してあらかじめ購入すべき商品を決めておく、という形態をとることにより、上記問題も解決することができる。
【手続補正６】
【補正対象書類名】明細書
【補正対象項目名】０００９
【補正方法】変更
【補正の内容】
【０００９】
請求項１の発明は、データ処理装置であって、携帯情報端末から特定のコンテンツの印刷用データを識別する情報である第１の識別情報を受信する第１のデータ受信手段と、前記第１のデータ受信手段により受信した前記第１の識別情報に基づき、第１の記憶手段に記憶される前記コンテンツの印刷用データを受信する第２のデータ受信手段と、前記コンテンツに応じて、前記コンテンツを印刷するための複数の処理プログラムを記憶する第２の記憶手段から、前記第２のデータ受信手段により受信した前記コンテンツの印刷用データに応じた前記処理プログラムを取得して、取得した前記処理プログラムを前記コンテンツの印刷用データに用いて印刷を実行する印刷手段と、を備えることを特徴とする。
請求項２の発明は、請求項１に記載のデータ処理装置であって、前記第１のデータ受信手段は、前記第１の識別情報あるいは前記コンテンツの印刷用データを受信し、前記印刷手段は、前記第１のデータ受信手段により受信した前記コンテンツの印刷用データに応じた前記処理プログラムを前記コンテンツの印刷用データに用いて印刷を実行することを特徴とする。
請求項３の発明は、請求項２に記載のデータ処理装置であって、前記第１のデータ受信手段により受信した情報に前記第１の識別情報があるか前記印刷用データがあるかを識別する識別手段を備え、前記第１のデータ受信手段は、前記第１の識別情報であることを表す識別情報あるいは前記コンテンツの印刷用データであることを表す識別情報と、第１の識別情報あるいは前記コンテンツの印刷用データとを受信し、前記識別手段は、前記第１の識別情報であることを表す識別情報あるいは前記コンテンツの印刷用データであることを表す識別情報に基づいて、受信した情報に前記第１の識別情報があるか前記印刷用データがあるかを識別し、前記第２のデータ受信手段は、前記識別手段により前記第１の識別情報があると識別された場合に、前記第１の識別情報に基づいて前記コンテンツの印刷用データを受信し、前記印刷手段は、前記第１のデータ受信手段または前記第２のデータ受信手段により受信した印刷用データを用いて印刷を実行することを特徴とする。
請求項４の発明は、請求項２又は３に記載のデータ処理装置であって、前記第１のデータ受信手段は、前記コンテンツに応じて異なるコンテンツ固有の情報の印刷用データを受信し、前記処理プログラムは複数の前記コンテンツにおいて共通の情報を保持し、前記印刷手段は、前記第１のデータ受信手段により受信した前記コンテンツ固有の情報の印刷用データと、前記処理プログラムが保持する前記コンテンツにおいて共通の情報とを用いて印刷を実行することを特徴とする。
請求項５の発明は、請求項１ないし４のいずれかに記載されたデータ処理装置と印刷システムを構成する携帯情報端末であって、前記印刷システムにおけるプロバイダから特定のコンテンツの印刷用データを識別する情報である第１の識別情報と共に第１の識別情報であることを表す識別情報あるいは前記コンテンツの印刷用データと共に前記コンテンツの印刷用データであることを表す識別情報を受信するデータ受信手段と、前記データ受信手段により受信した前記第１の識別情報あるいは前記コンテンツの印刷用データに、前記第１の識別情報であることを表す識別情報か前記コンテンツの印刷用データであることを表す識別情報を付して送信する送信手段と、を備えることを特徴とする。
請求項６の発明は、プログラムであって、データ処理装置のコンピュータを、携帯情報端末から特定のコンテンツの印刷用データを識別する情報である第１の識別情報を受信する第１のデータ受信手段と、前記第１のデータ受信手段により受信した前記第１の識別情報に基づき、第１の記憶手段に記憶される前記コンテンツの印刷用データを受信する第２のデータ受信手段と、前記コンテンツに応じて、前記コンテンツを印刷するための複数の処理プログラムを記憶する第２の記憶手段から、前記第２のデータ受信手段により受信した前記コンテンツの印刷用データに応じた前記処理プログラムを取得して、取得した前記処理プログラムを前記コンテンツの印刷用データに用いて印刷装置に印刷を実行させる手段、として機能させることを特徴とする。
請求項７の発明は、請求項６に記載のプログラムであって、前記第１のデータ受信手段は、前記第１の識別情報あるいは前記コンテンツの印刷用データを受信し、前記印刷を実行させる手段は、前記第１のデータ受信手段により受信した前記コンテンツの印刷用データに応じた前記処理プログラムを前記コンテンツの印刷用データに用いて前記印刷装置に印刷を実行させることを特徴とする。
請求項８の発明は、請求項７に記載のプログラムであって、前記データ処理装置のコンピュータを、前記第１のデータ受信手段により受信した情報に前記第１の識別情報があるか前記印刷用データがあるかを識別する識別手段として機能させるプログラムを有し、前記第１のデータ受信手段は、前記第１の識別情報であることを表す識別情報あるいは前記コンテンツの印刷用データであることを表す識別情報と、第１の識別情報あるいは前記コンテンツの印刷用データとを受信し、前記識別手段は、前記第１の識別情報であることを表す識別情報あるいは前記コンテンツの印刷用データであることを表す識別情報に基づいて、受信した情報に前記第１の識別情報があるか前記印刷用データがあるかを識別し、前記第２のデータ受信手段は、前記識別手段により前記第１の識別情報があると識別された場合に、前記第１の識別情報に基づいて前記コンテンツの印刷用データを受信し、前記印刷を実行させる手段は、前記第１のデータ受信手段または前記第２のデータ受信手段により受信した印刷用データを用いて前記印刷装置に印刷を実行させることを特徴とする。
請求項９の発明は、請求項７又は８に記載のプログラムであって、前記第１のデータ受信手段は、前記コンテンツに応じて異なるコンテンツ固有の情報の印刷用データを受信し、前記処理プログラムは複数の前記コンテンツにおいて共通の情報を保持し、前記印刷を実行させる手段は、前記第１のデータ受信手段により受信した前記コンテンツ固有の情報の印刷用データと、前記処理プログラムが保持する前記コンテンツにおいて共通の情報とを用いて前記印刷装置に印刷を実行させることを特徴とする。
請求項１０の発明は、プログラムであって、請求項１ないし４のいずれかに記載されたデータ処理装置と印刷システムを構成する携帯情報端末のコンピュータを、前記印刷システムにおけるプロバイダから特定のコンテンツの印刷用データを識別する情報である第１の識別情報と共に第１の識別情報であることを表す識別情報あるいは前記コンテンツの印刷用データと共に前記コンテンツの印刷用データであることを表す識別情報を受信するデータ受信手段と、前記データ受信手段により受信した前記第１の識別情報あるいは前記コンテンツの印刷用データに、前記第１の識別情報であることを表す識別情報か前記コンテンツの印刷用データであることを表す識別情報を付して送信する送信手段、として機能させることを特徴とする。
【手続補正７】
【補正対象書類名】明細書
【補正対象項目名】００１１
【補正方法】変更
【補正の内容】
【００１１】
【図１】本発明を実施するための印刷システムの全体構成を示す図である。
【図２】図１に示した印刷データ処理装置の一構成例を示す図である。
【図３】本発明による印刷処理の流れを説明するためのフローチャートである。
【図４】タイプ１のコンテンツ印刷用にダウンロードするデータの例を示す図である。
【図５】タイプ２のコンテンツ印刷用にダウンロードするデータの例を示す図である。
【図６】コンテンツに係わる要素の対応を示す図である。
【図７】プロバイダ及び印刷システム内のハードディスクの中身を示す概念図である。
【手続補正８】
【補正対象書類名】明細書
【補正対象項目名】００１２
【補正方法】変更
【補正の内容】
【００１２】
図１は、本発明を実施するための印刷システムの全体構成を示す図で、図中、１は各種サービスを提供するプロバイダ、２はｉモードなどのようなインターネットに接続可能な携帯情報端末、３は印刷データ処理装置、４は印刷データ処理装置３からのデータを印刷する印刷装置で、この印刷データ処理装置３と印刷装置４で一つの印刷システムを構成している。５はインターネットに接続された携帯情報端末用の基地局、６はインターネットである。
【手続補正９】
【補正対象書類名】明細書
【補正対象項目名】００１５
【補正方法】変更
【補正の内容】
【００１５】
［ユーザの印刷情報の検索］
ユーザは、まず、携帯電話を用いて必要な情報を検索する（Ｓ１）。この情報とは本発明を実施するための印刷システムをサポートしていなければならない（Ｓ２）。
【手続補正１０】
【補正対象書類名】特許請求の範囲
【補正対象項目名】全文
【補正方法】変更
【補正の内容】
【特許請求の範囲】
【請求項１】
携帯情報端末から特定のコンテンツの印刷用データを識別する情報である第１の識別情報を受信する第１のデータ受信手段と、
前記第１のデータ受信手段により受信した前記第１の識別情報に基づき、第１の記憶手段に記憶される前記コンテンツの印刷用データを受信する第２のデータ受信手段と、
前記コンテンツに応じて、前記コンテンツを印刷するための複数の処理プログラムを記憶する第２の記憶手段から、前記第２のデータ受信手段により受信した前記コンテンツの印刷用データに応じた前記処理プログラムを取得して、取得した前記処理プログラムを前記コンテンツの印刷用データに用いて印刷を実行する印刷手段と、
を備えることを特徴とするデータ処理装置。
【請求項２】
前記第１のデータ受信手段は、
前記第１の識別情報あるいは前記コンテンツの印刷用データを受信し、
前記印刷手段は、前記第１のデータ受信手段により受信した前記コンテンツの印刷用データに応じた前記処理プログラムを前記コンテンツの印刷用データに用いて印刷を実行することを特徴とする請求項１に記載のデータ処理装置。
【請求項３】
前記第１のデータ受信手段により受信した情報に前記第１の識別情報があるか前記印刷用データがあるかを識別する識別手段を備え、
前記第１のデータ受信手段は、前記第１の識別情報であることを表す識別情報あるいは前記コンテンツの印刷用データであることを表す識別情報と、第１の識別情報あるいは前記コンテンツの印刷用データとを受信し、
前記識別手段は、前記第１の識別情報であることを表す識別情報あるいは前記コンテンツの印刷用データであることを表す識別情報に基づいて、受信した情報に前記第１の識別情報があるか前記印刷用データがあるかを識別し、
前記第２のデータ受信手段は、前記識別手段により前記第１の識別情報があると識別された場合に、前記第１の識別情報に基づいて前記コンテンツの印刷用データを受信し、
前記印刷手段は、前記第１のデータ受信手段または前記第２のデータ受信手段により受信した印刷用データを用いて印刷を実行することを特徴とする請求項２に記載のデータ処理装置。
【請求項４】
前記第１のデータ受信手段は、前記コンテンツに応じて異なるコンテンツ固有の情報の印刷用データを受信し、
前記処理プログラムは複数の前記コンテンツにおいて共通の情報を保持し、
前記印刷手段は、前記第１のデータ受信手段により受信した前記コンテンツ固有の情報の印刷用データと、前記処理プログラムが保持する前記コンテンツにおいて共通の情報とを用いて印刷を実行することを特徴とする請求項２又は３に記載のデータ処理装置。
【請求項５】
請求項１ないし４のいずれかに記載されたデータ処理装置と印刷システムを構成する携帯情報端末であって、
前記印刷システムにおけるプロバイダから特定のコンテンツの印刷用データを識別する情報である第１の識別情報と共に第１の識別情報であることを表す識別情報あるいは前記コンテンツの印刷用データと共に前記コンテンツの印刷用データであることを表す識別情報を受信するデータ受信手段と、
前記データ受信手段により受信した前記第１の識別情報あるいは前記コンテンツの印刷用データに、前記第１の識別情報であることを表す識別情報か前記コンテンツの印刷用データであることを表す識別情報を付して送信する送信手段と、
を備えることを特徴とする携帯情報端末。
【請求項６】
データ処理装置のコンピュータを、
携帯情報端末から特定のコンテンツの印刷用データを識別する情報である第１の識別情報を受信する第１のデータ受信手段と、
前記第１のデータ受信手段により受信した前記第１の識別情報に基づき、第１の記憶手段に記憶される前記コンテンツの印刷用データを受信する第２のデータ受信手段と、
前記コンテンツに応じて、前記コンテンツを印刷するための複数の処理プログラムを記憶する第２の記憶手段から、前記第２のデータ受信手段により受信した前記コンテンツの印刷用データに応じた前記処理プログラムを取得して、取得した前記処理プログラムを前記コンテンツの印刷用データに用いて印刷装置に印刷を実行させる手段、として機能させることを特徴とするプログラム。
【請求項７】
前記第１のデータ受信手段は、前記第１の識別情報あるいは前記コンテンツの印刷用データを受信し、
前記印刷を実行させる手段は、前記第１のデータ受信手段により受信した前記コンテンツの印刷用データに応じた前記処理プログラムを前記コンテンツの印刷用データに用いて前記印刷装置に印刷を実行させることを特徴とする請求項６に記載のプログラム。
【請求項８】
前記データ処理装置のコンピュータを、前記第１のデータ受信手段により受信した情報に前記第１の識別情報があるか前記印刷用データがあるかを識別する識別手段として機能させるプログラムを有し、
前記第１のデータ受信手段は、前記第１の識別情報であることを表す識別情報あるいは前記コンテンツの印刷用データであることを表す識別情報と、第１の識別情報あるいは前記コンテンツの印刷用データとを受信し、
前記識別手段は、前記第１の識別情報であることを表す識別情報あるいは前記コンテンツの印刷用データであることを表す識別情報に基づいて、受信した情報に前記第１の識別情報があるか前記印刷用データがあるかを識別し、
前記第２のデータ受信手段は、前記識別手段により前記第１の識別情報があると識別された場合に、前記第１の識別情報に基づいて前記コンテンツの印刷用データを受信し、
前記印刷を実行させる手段は、前記第１のデータ受信手段または前記第２のデータ受信手段により受信した印刷用データを用いて前記印刷装置に印刷を実行させることを特徴とする請求項７に記載のプログラム。
【請求項９】
前記第１のデータ受信手段は、前記コンテンツに応じて異なるコンテンツ固有の情報の印刷用データを受信し、
前記処理プログラムは複数の前記コンテンツにおいて共通の情報を保持し、
前記印刷を実行させる手段は、前記第１のデータ受信手段により受信した前記コンテンツ固有の情報の印刷用データと、前記処理プログラムが保持する前記コンテンツにおいて共通の情報とを用いて前記印刷装置に印刷を実行させることを特徴とする請求項７又は８に記載のプログラム。
【請求項１０】
請求項１ないし４のいずれかに記載されたデータ処理装置と印刷システムを構成する携帯情報端末のコンピュータを、
前記印刷システムにおけるプロバイダから特定のコンテンツの印刷用データを識別する情報である第１の識別情報と共に第１の識別情報であることを表す識別情報あるいは前記コンテンツの印刷用データと共に前記コンテンツの印刷用データであることを表す識別情報を受信するデータ受信手段と、
前記データ受信手段により受信した前記第１の識別情報あるいは前記コンテンツの印刷用データに、前記第１の識別情報であることを表す識別情報か前記コンテンツの印刷用データであることを表す識別情報を付して送信する送信手段、として機能させることを特徴とするプログラム。